【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
ワイヤレス・デバイスにおける通信の方法であって、
複数のハイブリッド自動再送要求（ＨＡＲＱ）プロセスの各々に関する状態を識別することと、
前記複数のＨＡＲＱプロセスの各々に関する前記状態の指示を備える制御メッセージを送信することと、
前記制御メッセージに少なくとも部分的に基づいて前記複数のＨＡＲＱプロセスに対応する複数のトランスポートブロックを備えるデータ信号を送信することと、
を備える、方法。
【請求項２】
前記複数のトランスポートブロックのうちの１つのトランスポートブロックに関する否定応答（ＮＡＣＫ）を受信することと、
前記トランスポートブロックに対応する前記複数のＨＡＲＱプロセスのうちの１つのＨＡＲＱプロセスに関する再送信状態を識別することと、ここにおいて、前記再送信状態は、再送信指示および冗長バージョンを備える、
をさらに備える、請求項１に記載の方法。
【請求項３】
前記再送信状態に少なくとも部分的に基づいて第２の制御メッセージを送信することと、
前記第２の制御メッセージに少なくとも部分的に基づいて前記複数のＨＡＲＱプロセスに対応する第２の複数のトランスポートブロックを備える第２のデータ信号を送信することと、
をさらに備える、請求項２に記載の方法。
【請求項４】
前記複数のＨＡＲＱプロセスの各々に関する前記状態は、新データ指示、再送信指示、または非アクティブ指示を備える、請求項１に記載の方法。
【請求項５】
前記複数のＨＡＲＱプロセスのうちの少なくとも１つに関する前記状態は、冗長バージョンを備える、請求項１に記載の方法。
【請求項６】
前記制御メッセージは、前記複数のトランスポートブロックに関するリソース・グラントを備える、請求項１に記載の方法。
【請求項７】
ワイヤレス・デバイスにおける通信の方法であって、
複数のＨＡＲＱプロセスの各々に関する状態の指示を備える制御メッセージを受信することと、
前記制御メッセージに少なくとも部分的に基づいて前記複数のＨＡＲＱプロセスに対応する複数のトランスポートブロックを備えるデータ信号を受信することと、
を備える、方法。
【請求項８】
前記複数のトランスポートブロックのうちの１つのトランスポートブロックに関するＮＡＣＫを送信すること
をさらに備える、請求項７に記載の方法。
【請求項９】
第２の制御メッセージを受信することと、
前記第２の制御メッセージに少なくとも部分的に基づいて前記トランスポートブロックに対応する前記複数のＨＡＲＱプロセスのうちの１つのＨＡＲＱプロセスに関する再送信状態を識別することと、ここにおいて、前記再送信状態は、再送信指示および冗長バージョンを備える、
前記第２の制御メッセージに少なくとも部分的に基づいて前記複数のＨＡＲＱプロセスに対応する第２の複数のトランスポートブロックを備える第２のデータ信号を受信することと、
をさらに備える、請求項８に記載の方法。
【請求項１０】
前記複数のＨＡＲＱプロセスの各々に関する前記状態は、新データ指示、再送信指示、または非アクティブ指示を備える、請求項７に記載の方法。
【請求項１１】
前記複数のＨＡＲＱプロセスのうちの少なくとも１つに関する前記状態は、冗長バージョンを備える、請求項７に記載の方法。
【請求項１２】
ワイヤレス・デバイスにおける通信のための装置であって、
複数のハイブリッド自動再送要求（ＨＡＲＱ）プロセスの各々に関する状態を識別するための手段と、
前記複数のＨＡＲＱプロセスの各々に関する前記状態の指示を備える制御メッセージを送信するための手段と、
前記制御メッセージに少なくとも部分的に基づいて前記複数のＨＡＲＱプロセスに対応する複数のトランスポートブロックを備えるデータ信号を送信するための手段と、
を備える、装置。
【請求項１３】
前記複数のトランスポートブロックのうちの１つのトランスポートブロックに関する否定応答（ＮＡＣＫ）を受信するための手段と、
前記トランスポートブロックに対応する前記複数のＨＡＲＱプロセスのうちの１つのＨＡＲＱプロセスに関する再送信状態を識別するための手段と、ここにおいて、前記再送信状態は、再送信指示および冗長バージョンを備える、
をさらに備える、請求項１２に記載の装置。
【請求項１４】
ワイヤレス・デバイスにおける通信のための装置であって、
複数のＨＡＲＱプロセスの各々に関する状態の指示を備える制御メッセージを受信するための手段と、
前記制御メッセージに少なくとも部分的に基づいて前記複数のＨＡＲＱプロセスに対応する複数のトランスポートブロックを備えるデータ信号を受信するための手段と、
を備える、装置。
【請求項１５】
前記複数のトランスポートブロックのうちの１つのトランスポートブロックに関するＮＡＣＫを送信するための手段
をさらに備える、請求項１４に記載の装置。
【手続補正２】
【補正対象書類名】明細書
【補正対象項目名】０１３１
【補正方法】変更
【補正の内容】
【０１３１】
[0138]  本書で説明された技術は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングル・キャリア周波数分割多元接続（ＳＣ−ＦＤＭＡ）、および他のシステムのような、さまざまなワイヤレス通信システムに対して使用され得る。「システム」および「ネットワーク」という用語は、交換可能に使用されることが多い。ＣＤＭＡシステムは、ＣＤＭＡ２０００、ユニバーサル地上無線アクセス（ＵＴＲＡ）などのような無線技術をインプリメントし得る。ＣＤＭＡ２０００は、ＩＳ−２０００、ＩＳ−９５、ＩＳ−８５６規格をカバーする。ＩＳ−２０００リリース０およびＡは一般的に、ＣＤＭＡ２０００ １Ｘ、１Ｘなどと呼ばれる。ＩＳ−８５６（ＴＩＡ−８５６）は、一般に、ＣＤＭＡ２０００ １ｘＥＶ−ＤＯ、高速パケット・データ（ＨＲＰＤ）などと呼ばれる。ＵＴＲＡは、広帯域ＣＤＭＡ（ＷＣＤＭＡ（登録商標））およびＣＤＭＡの他の変形物を含む。ＴＤＭＡシステムは、モバイル通信のためのグローバル・システム（ＧＳＭ（登録商標））のような無線技術をインプリメントし得る。ＯＦＤＭＡシステムは、ウルトラ・モバイル・ブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭなど、のような無線技術をインプリメントし得る。ＵＴＲＡおよびＥ-ＵＴＲＡは、ユニバーサル・モバイル電気通信システム（ＵＭＴＳ）の一部である。３ＧＰＰロング・ターム・エボリューション（ＬＴＥ）およびＬＴＥ−アドバンスト（ＬＴＥ−Ａ）は、Ｅ−ＵＴＲＡを使用するユニバーサル・モバイル電気通信システム（ＵＭＴＳ）の新リリースである。ＵＴＲＡ、Ｅ−ＵＴＲＡ、ＵＭＴＳ、ＬＴＥ、ＬＴＥ−Ａ、およびモバイル通信のためのグローバル・システム（ＧＳＭ）は、「第３世代パートナーシップ・プロジェクト」（３ＧＰＰ）という名称の団体からの文書中に説明されている。ＣＤＭＡ２０００およびＵＭＢは、「第３世代パートナーシップ・プロジェクト２」（３ＧＰＰ２）という名称の団体からの文書中に説明されている。本書で説明された技術は、上述されたシステムおよび無線技術ならびに他のシステムおよび無線技術に対して使用され得る。上記の説明は、しかしながら、実例を目的としてＬＴＥシステムを説明しており、ＬＴＥの専門用語が上記の説明の大部分中で使用されているが、本技術は、ＬＴＥアプリケーションを超えて適用可能である。
以下に、本願の出願当初の特許請求の範囲に記載された発明を付記する。
［Ｃ１］
ワイヤレス・デバイスにおける通信の方法であって、
複数のハイブリッド自動再送要求（ＨＡＲＱ）プロセスの各々に関する状態を識別することと、
前記複数のＨＡＲＱプロセスの各々に関する前記状態の指示を備える制御メッセージを送信することと、
前記制御メッセージに少なくとも部分的に基づいて前記複数のＨＡＲＱプロセスに対応する複数のトランスポートブロックを備えるデータ信号を送信することと、
を備える、方法。
［Ｃ２］
前記複数のトランスポートブロックのうちの１つのトランスポートブロックに関する否定応答（ＮＡＣＫ）を受信することと、
前記トランスポートブロックに対応する前記複数のＨＡＲＱプロセスのうちの１つのＨＡＲＱプロセスに関する再送信状態を識別することと、ここにおいて、前記再送信状態は、再送信指示および冗長バージョンを備える、
をさらに備える、Ｃ１に記載の方法。
［Ｃ３］
前記再送信状態に少なくとも部分的に基づいて第２の制御メッセージを送信することと、
前記第２の制御メッセージに少なくとも部分的に基づいて前記複数のＨＡＲＱプロセスに対応する第２の複数のトランスポートブロックを備える第２のデータ信号を送信することと、
をさらに備える、Ｃ２に記載の方法。
［Ｃ４］
前記複数のＨＡＲＱプロセスの各々に関する前記状態は、新データ指示、再送信指示、または非アクティブ指示を備える、Ｃ１に記載の方法。
［Ｃ５］
前記複数のＨＡＲＱプロセスのうちの少なくとも１つに関する前記状態は、冗長バージョンを備える、Ｃ１に記載の方法。
［Ｃ６］
前記制御メッセージは、前記複数のトランスポートブロックに関するリソース・グラントを備える、Ｃ１に記載の方法。
［Ｃ７］
前記複数のトランスポートブロックの各々は、同じ変調および符号化スキーム（ＭＣＳ）を使用する、Ｃ１に記載の方法。
［Ｃ８］
再送信されたデータに関連付けされた前記複数のＨＡＲＱプロセスのサブセットに関するリソースの第１のセットを識別すること
をさらに備える、Ｃ１に記載の方法。
［Ｃ９］
新しいデータを含む第２の複数のトランスポートブロックの間で前記データ信号に関するリソースの第２のセットを均等に分割すること
をさらに備える、Ｃ８に記載の方法。
［Ｃ１０］
ワイヤレス・デバイスにおける通信の方法であって、
複数のＨＡＲＱプロセスの各々に関する状態の指示を備える制御メッセージを受信することと、
前記制御メッセージに少なくとも部分的に基づいて前記複数のＨＡＲＱプロセスに対応する複数のトランスポートブロックを備えるデータ信号を受信することと、
を備える、方法。
［Ｃ１１］
前記複数のトランスポートブロックのうちの１つのトランスポートブロックに関するＮＡＣＫを送信すること
をさらに備える、Ｃ１０に記載の方法。
［Ｃ１２］
第２の制御メッセージを受信することと、
前記第２の制御メッセージに少なくとも部分的に基づいて前記トランスポートブロックに対応する前記複数のＨＡＲＱプロセスのうちの１つのＨＡＲＱプロセスに関する再送信状態を識別することと、ここにおいて、前記再送信状態は、再送信指示および冗長バージョンを備える、
前記第２の制御メッセージに少なくとも部分的に基づいて前記複数のＨＡＲＱプロセスに対応する第２の複数のトランスポートブロックを備える第２のデータ信号を受信することと、
をさらに備える、Ｃ１１に記載の方法。
［Ｃ１３］
前記複数のＨＡＲＱプロセスの各々に関する前記状態は、新データ指示、再送信指示、または非アクティブ指示を備える、Ｃ１０に記載の方法。
［Ｃ１４］
前記複数のＨＡＲＱプロセスのうちの少なくとも１つに関する前記状態は、冗長バージョンを備える、Ｃ１０に記載の方法。
［Ｃ１５］
前記複数のトランスポートブロックの各々は、同じＭＣＳを使用する、Ｃ１０に記載の方法。
［Ｃ１６］
ワイヤレス・デバイスにおける通信のための装置であって、
複数のハイブリッド自動再送要求（ＨＡＲＱ）プロセスの各々に関する状態を識別するための手段と、
前記複数のＨＡＲＱプロセスの各々に関する前記状態の指示を備える制御メッセージを送信するための手段と、
前記制御メッセージに少なくとも部分的に基づいて前記複数のＨＡＲＱプロセスに対応する複数のトランスポートブロックを備えるデータ信号を送信するための手段と、
を備える、装置。
［Ｃ１７］
前記複数のトランスポートブロックのうちの１つのトランスポートブロックに関する否定応答（ＮＡＣＫ）を受信するための手段と、
前記トランスポートブロックに対応する前記複数のＨＡＲＱプロセスのうちの１つのＨＡＲＱプロセスに関する再送信状態を識別するための手段と、ここにおいて、前記再送信状態は、再送信指示および冗長バージョンを備える、
をさらに備える、Ｃ１６に記載の装置。
［Ｃ１８］
前記再送信状態に少なくとも部分的に基づいて第２の制御メッセージを送信するための手段と、
前記第２の制御メッセージに少なくとも部分的に基づいて前記複数のＨＡＲＱプロセスに対応する第２の複数のトランスポートブロックを備える第２のデータ信号を送信するための手段と、
をさらに備える、Ｃ１７に記載の装置。
［Ｃ１９］
前記複数のＨＡＲＱプロセスの各々に関する前記状態は、新データ指示、再送信指示、または非アクティブ指示を備える、Ｃ１６に記載の装置。
［Ｃ２０］
前記複数のＨＡＲＱプロセスのうちの少なくとも１つに関する前記状態は、冗長バージョンを備える、Ｃ１６に記載の装置。
［Ｃ２１］
前記制御メッセージは、前記複数のトランスポートブロックに関するリソース・グラントを備える、Ｃ１６に記載の装置。
［Ｃ２２］
前記複数のトランスポートブロックの各々は、同じ変調および符号化スキーム（ＭＣＳ）を使用する、Ｃ１６に記載の装置。
［Ｃ２３］
再送信されたデータに関連付けされた前記複数のＨＡＲＱプロセスのサブセットに関するリソースの第１のセットを識別するための手段
をさらに備える、Ｃ１６に記載の装置。
［Ｃ２４］
新しいデータを含む第２の複数のトランスポートブロックの間で前記データ信号に関するリソースの第２のセットを均等に分割すること
をさらに備える、Ｃ２３に記載の装置。
［Ｃ２５］
ワイヤレス・デバイスにおける通信のための装置であって、
複数のＨＡＲＱプロセスの各々に関する状態の指示を備える制御メッセージを受信するための手段と、
前記制御メッセージに少なくとも部分的に基づいて前記複数のＨＡＲＱプロセスに対応する複数のトランスポートブロックを備えるデータ信号を受信するための手段と、
を備える、装置。
［Ｃ２６］
前記複数のトランスポートブロックのうちの１つのトランスポートブロックに関するＮＡＣＫを送信するための手段
をさらに備える、Ｃ２５に記載の装置。
［Ｃ２７］
第２の制御メッセージを受信するための手段と、
前記第２の制御メッセージに少なくとも部分的に基づいて前記トランスポートブロックに対応する前記複数のＨＡＲＱプロセスのうちの１つのＨＡＲＱプロセスに関する再送信状態を識別するための手段と、ここにおいて、前記再送信状態は、再送信指示および冗長バージョンを備える、
前記第２の制御メッセージに少なくとも部分的に基づいて前記複数のＨＡＲＱプロセスに対応する第２の複数のトランスポートブロックを備える第２のデータ信号を受信するための手段と、
をさらに備える、Ｃ２６に記載の装置。
［Ｃ２８］
前記複数のＨＡＲＱプロセスの各々に関する前記状態は、新データ指示、再送信指示、または非アクティブ指示を備える、Ｃ２５に記載の装置。
［Ｃ２９］
前記複数のＨＡＲＱプロセスのうちの少なくとも１つに関する前記状態は、冗長バージョンを備える、Ｃ２５に記載の装置。
［Ｃ３０］
前記複数のトランスポートブロックの各々は、同じＭＣＳを使用する、Ｃ２５に記載の装置。